(57)【要約】【課題】火災時等の熱や炎によって外障子の下方に位置する下枠中空部が内部から損傷することを抑制でき、防火性能を安定して発揮できる建具を提供すること。【解決手段】引違い窓は、中空部２２６が設けられた下枠２２を有する枠体と、枠体内に配置された外障子３および内障子４とを備える。外障子３、内障子４の少なくとも一方は、下枠２２に沿ってスライド移動可能である。中空部２２６は、閉鎖位置にある外障子３の下側に位置する第一空間２２６Ａと、第一空間２２６Ａに対して下枠２２の長手方向に連続する第二空間とを備える。中空部２２６内には、少なくとも第一空間２２６Ａに配置され、かつ、外障子３の荷重を支持可能な見付け片部５１を備える補強材５と、加熱により発泡して、第一空間２２６Ａの見付け片部５１よりも室内側の空間と、第二空間とを遮蔽可能な位置に配置される第一加熱発泡材６とが設けられる。【選択図】図４
2019065565.tif 000002
【特許請求の範囲】
【請求項１】
長手方向に沿って連続する中空部が設けられた下枠を有する枠体と、
前記枠体内に配置された外障子および内障子とを備え、
前記外障子および内障子の少なくとも一方は、前記下枠に沿ってスライド移動可能とされ、
前記中空部は、閉鎖位置にある前記外障子の下側に位置する第一空間と、前記第一空間に対して前記下枠の長手方向に連続する第二空間とを備え、
前記中空部内には、
少なくとも前記第一空間に配置され、かつ、前記外障子の荷重を支持可能な見付け片部を備える補強材と、
加熱により発泡して、前記第一空間の前記見付け片部よりも室内側の空間と、前記第二空間とを遮蔽可能な位置に配置される第一加熱発泡材とが設けられている
ことを特徴とする建具。
【請求項２】
請求項１に記載の建具において、
前記中空部内には、加熱により発泡して、前記第一空間の前記見付け片部よりも室内側の空間における縦枠側の端部開口を閉塞可能な位置に配置される第二加熱発泡材が設けられている
ことを特徴とする建具。
【請求項３】
請求項１または請求項２に記載の建具において、
前記第一加熱発泡材は、前記補強材に取り付けられている
ことを特徴とする建具。
【請求項４】
請求項３に記載の建具において、
前記補強材は、前記外障子の召合せ框側の第一端部が前記第二空間まで延長され、
前記第一加熱発泡材は、前記補強材の前記第一端部に取り付けられている
ことを特徴とする建具。
【請求項５】
請求項１から請求項４のいずれか一項に記載の建具において、
前記下枠は、前記中空部を区画する上面部と、下面部と、室外側面部と、室内側面部とを備え、
前記補強材は、前記見付け片部と、前記見付け片部の下部から室内側に延長された取付け片部と、前記見付け片部の上部から室内側に延長された見込み片部とを備え、
前記見込み片部は、前記上面部に締結部材で固定され、
前記第一加熱発泡材は、前記取付け片部に取り付けられている
ことを特徴とする建具。
【請求項６】
請求項５に記載の建具において、
前記下枠の前記上面部には、水抜き孔が形成され、
前記下枠の前記室外側面部には、下枠排水孔が形成され、
前記補強材の前記見込み片部には、前記水抜き孔に対応する排水部が形成され、
前記補強材の前記取付け片部には、加熱により発泡して、前記排水部を閉塞可能な加熱発泡材が取り付けられている
ことを特徴とする建具。
【発明の詳細な説明】
【技術分野】
【０００１】
本発明は、建具枠内に外障子および内障子の少なくとも一方がスライド可能に配置された建具に関する。
【背景技術】
【０００２】
建物の開口部に配置される枠体と、枠体内に配置される外障子および内障子とを備える引違い窓では、下枠に中空部を形成し、外レールおよび内レール間などに流入した雨水を、中空部内に導入し、さらに中空部の室外面に開口した排水孔から室外側に排出する構造が知られている（特許文献１参照）。
ここで、前記下枠は、アルミニウムの押出形材によって構成され、前記中空部も下枠の長手方向全長に亘って連続して形成されている。
【先行技術文献】
【特許文献】
【０００３】
【特許文献１】特開２０１３−１９１１６号公報
【発明の概要】
【発明が解決しようとする課題】
【０００４】
前記下枠はアルミニウム製であるため、建具の室外側で火災が発生した場合に、火災時の熱によって温度上昇し、下枠の剛性降伏点が低くなると、当該下枠が障子の鉛直荷重を支持しきれなくなって熱塑性変形するおそれがある。特に、外障子を支持する外レールは、特許文献１に示すように、中空部の上方に形成されるため、熱塑性変形の影響を受けやすく、外障子は垂れ下がりが生じやすい。このため、中空部に補強材を挿入して外障子の荷重を支持可能に構成することも考えられる。
しかしながら、補強材を外障子の閉鎖位置に合わせて配置した場合に、補強材が配置されていない下枠の領域が火災によって破損し、熱や炎が下枠の中空部に進入し、下枠にダメージを与えるおそれがある。中空部に進入した熱や炎は、中空部内を伝わるため、補強材が配置されている部分の下枠が、熱などで中空部側から損傷する可能性がある。この場合、下枠にネジなどで固定した補強材の固定力が低下し、補強材で外障子の荷重を支持できなくなり、外障子の垂れ下がりが発生し、枠体と外障子との間に隙間が生じて、防火性能も低下するおそれがある。
本発明の目的は、火災時等の熱や炎によって外障子の下方に位置する下枠中空部が内部から損傷することを抑制でき、防火性能を安定して発揮できる建具を提供することにある。
【課題を解決するための手段】
【０００５】
本発明の建具は、長手方向に沿って連続する中空部が設けられた下枠を有する枠体と、前記枠体内に配置された外障子および内障子とを備え、前記外障子および内障子の少なくとも一方は、前記下枠に沿ってスライド移動可能とされ、前記中空部は、閉鎖位置にある前記外障子の下側に位置する第一空間と、前記第一空間に対して前記下枠の長手方向に連続する第二空間とを備え、前記中空部内には、少なくとも前記第一空間に配置され、かつ、前記外障子の荷重を支持可能な見付け片部を備える補強材と、加熱により発泡して、前記第一空間の前記見付け片部よりも室内側の空間と、前記第二空間とを遮蔽可能な位置に配置される第一加熱発泡材とが設けられていることを特徴とする。
【０００６】
本発明では、火災時の熱で第一加熱発泡材が加熱されて発泡すると、第一空間において補強材の見付け片部よりも室内側の空間と、第二空間とを加熱発泡材で塞いで遮蔽できる。下枠において、閉鎖位置にある内障子の室外側の部分は、室外に露出しているため、建具の室外側で火災が発生した場合に、炎や熱で損傷する可能性がある。このため、第二空間に炎や熱が進入する可能性があるが、第一加熱発泡材が発泡することで、第二空間から第一空間の見付け片部よりも室内側の空間への熱や炎の進入を防止できる。従って、中空部の補強材が配置された部分が内部から損傷することを防止でき、下枠による補強材の保持力が低下することも防止できるため、外障子が垂れ下がることも防止できる。よって、建具において、枠体と外障子との間に隙間が発生することも防止でき、建具は防火性能を安定して発揮できる。
【０００７】
本発明の建具において、前記中空部内には、加熱により発泡して、前記第一空間の前記見付け片部よりも室内側の空間における縦枠側の端部開口を閉塞可能な位置に配置される第二加熱発泡材が設けられていることが好ましい。
本発明では、第一加熱発泡材に加えて第二加熱発泡材が設けられ、中空部内において見付け片部よりも室内側の空間の各端部開口を塞ぐため、第二空間からの火炎の進入を防止するだけでなく、下枠と縦枠との隙間から第一空間に火炎が進入することも防止できる。従って、火災時等の熱による下枠の損傷をさらに抑制でき、補強材の保持力低下を防止できるため、建具における防火性能を安定して発揮できる。
【０００８】
本発明の建具において、前記第一加熱発泡材は、前記補強材に取り付けられていることが好ましい。
第一加熱発泡材は、下枠の中空部に直接取り付けてもよいが、下枠中空部の長手方向の中間位置に配置しなければならないため、正確な位置に配置することが難しい。これに対し、第一加熱発泡材を補強材に取り付けていれば、補強材の長さ寸法および下枠中空部での取付位置を設定することで、第一加熱発泡材を適切な位置に容易に配置できる。
なお、第二加熱発泡材を設ける場合も、下枠の中空部に直接取り付けてもよいが、補強材に取り付けることが好ましい。
【０００９】
本発明の建具において、前記補強材は、前記外障子の召合せ框側の第一端部が前記第二空間まで延長され、前記第一加熱発泡材は、前記補強材の前記第一端部に取り付けられていることが好ましい。
本発明では、第一加熱発泡材を、外障子の召合せ框よりも第二空間側に容易に配置できる。召合せ框の下方に配置した場合、召合せ框と下枠との隙間を塞ぐ加熱発泡材の断熱効果によって、中空部内の第一加熱発泡材が発泡温度まで上昇するタイミングが遅くなる可能性がある。これに対し、召合せ框よりも第二空間側に第一加熱発泡材を配置すれば、火災時の熱が第一加熱発泡材に伝わりやすくなり、比較的早いタイミングで発泡させることができ、第二空間から第一空間への火炎の進入を確実に防止できる。
【００１０】
本発明の建具において、前記下枠は、前記中空部を区画する上面部と、下面部と、室外側面部と、室内側面部とを備え、前記補強材は、前記見付け片部と、前記見付け片部の下部から室内側に延長された取付け片部と、前記見付け片部の上部から室内側に延長された見込み片部とを備え、前記見込み片部は、前記上面部に締結部材で固定され、前記第一加熱発泡材は、前記取付け片部に取り付けられていることが好ましい。
本発明では、補強材の見込み片部を下枠の上面部に固定ネジやリベットなどの締結部材で固定しているので、外障子から下枠の上面部に加わる荷重を、補強材で確実に支持することができる。さらに、補強材の見込み片部は、第一加熱発泡材や第二加熱発泡材によって、火炎の進入が防止された見付け片部よりも室内側に配置されているので、見込み片部と上面部との締結部分が熱で損傷することも防止できる。このため、締結部材による補強材の固定力が低下することを防止でき、補強材で外障子の荷重を確実に支持できるため、外障子の垂れ下がりを防止でき、建具における防火性能を安定して発揮できる。
【００１１】
本発明の建具において、前記下枠の前記上面部には、水抜き孔が形成され、前記下枠の前記室外側面部には、下枠排水孔が形成され、前記補強材の前記見込み片部には、前記水抜き孔に対応する排水部が形成され、前記補強材の前記取付け片部には、加熱により発泡して、前記排水部を閉塞可能な加熱発泡材が取り付けられていることが好ましい。
本発明では、加熱発泡材の発泡により補強材に形成された排水部を閉塞し、排水経路を遮断できるため、第一空間を排水経路として利用する場合も、排水経路を通じて火炎が第一空間に進入することも防止できる。なお、排水部を閉塞する加熱発泡材は、第二加熱発泡材で兼用してもよいし、第二加熱発泡材とは別体の加熱発泡材で構成してもよい。
【発明の効果】
【００１２】
本発明によれば、火災時等の熱や炎によって外障子の下方に位置する下枠中空部が内部から損傷することを抑制でき、防火性能を安定して発揮できる建具を提供できる。
【図面の簡単な説明】
【００１３】
【図１】本発明の実施形態に係る引違い窓を示す縦断面図。
【図２】前記実施形態に係る引違い窓を示す横断面図。
【図３】前記実施形態に係る引違い窓の下枠の要部を拡大して示す図。
【図４】前記実施形態に係る引違い窓の要部を拡大して示す縦断面図。
【図５】前記実施形態に係る引違い窓の要部を拡大して示す縦断面図。
【発明を実施するための形態】
【００１４】
以下、本発明の実施形態を図１〜５に基づいて説明する。
図１〜３において、本実施形態に係る建具である引違い窓１は、建具の枠体である窓枠２と、窓枠２内をスライド移動可能に設けられた外障子３、内障子４とを備えている。
窓枠２は、建物の開口部に配置されて建物の躯体に固定されている。窓枠２は、上枠２１、下枠２２および左右の縦枠２４，２５を備えて構成される。上枠２１、下枠２２および左右の縦枠２４，２５は、アルミ製の押出形材によって構成されている。
外障子３は、上框３１、下框３２、戸先框３３、召合せ框３４を枠組みした障子枠と、障子枠内に組み込まれた複層ガラス３５とを備えて構成されている。
内障子４は、上框４１、下框４２、戸先框４３、召合せ框４４を枠組みした障子枠と、障子枠内に組み込まれた複層ガラス４５とを備えて構成されている。
本実施形態では、縦枠２４は、内障子４の戸先框４３に対向して設けられ、縦枠２５は、外障子３の戸先框３３に対向して設けられている。
外障子３、内障子４の各框は、召合せ框３４を除き、アルミ製の押出形材からなる室外部材と、合成樹脂製の押出形材とを組み合わせたアルミ樹脂複合框で構成されている。
複層ガラス３５，４５は、室外側は網入りガラス等の防火ガラスで構成され、室内側はＬＯＷ−Ｅガラス等で構成されている。
【００１５】
以下の説明においては、図１、２に示すように、引違い窓１の上下方向をＹ軸とし、外障子３、内障子４のスライド移動方向をＸ軸とし、Ｘ軸およびＹ軸に直交する方向をＺ軸とする。
窓枠２（上枠２１、下枠２２、縦枠２４、２５）および外障子３、内障子４の見込み方向は、Ｚ軸方向つまり引違い窓１の室内外方向（奥行き方向）である。また、上枠２１、下枠２２、上框３１、４１、下框３２、４２の見付け方向は、Ｙ軸方向つまり上下方向であり、縦枠２４、２５、戸先框３３、４３、召合せ框３４、４４の見付け方向は、Ｘ軸方向つまり外障子３、内障子４の移動方向（左右方向）である。
【００１６】
下枠２２は、図１，４に示すように、上面部２２１、下面部２２２、室外側面部２２３、室内側面部２２４および取付け部２２５を備えて構成されている。上面部２２１、下面部２２２、室外側面部２２３および室内側面部２２４によって中空部（ホロー部）２２６が区画されている。上面部２２１の上面には、室外側の外レール２２７および室内側の内レール２２８が立設されている。外レール２２７は外障子３を左右方向に移動可能に支持し、内レール２２８は内障子４を左右方向に移動可能に支持している。
【００１７】
上面部２２１は、下枠２２の見込み方向（室内外方向）に延びて形成されている。外レール２２７と内レール２２８との間に位置する上面部２２１の部分には、四角形状の水抜き孔２２９（図１，３参照）が左右方向に複数並んで形成されている。本実施形態では、上面部２２１において、縦枠２５側の端部から戸先框３３の見付け寸法程度離れた位置に５個の水抜き孔２２９が形成されている。
外障子３の上面部２２１の下面には、図１，４に示すように、後述する補強材５に接触する突出部としてのビスホール２２１Ａが設けられている。
なお、上面部２２１、外レール２２７および内レール２２８には係止突部が形成されており、この係止突部は樹脂製カバー材２６を係止している。また、内レール２２８よりも室内側に位置する上面部２２１の部分には、先端で躯体に当接する垂下部が形成されている。
下面部２２２は、下枠２２の見込み方向に延びて形成されている。下面部２２２は、上面部２２１に対し上下方向に間隔を隔てて配置されている。この下面部２２２は、建物の躯体により下方から支持されている。
【００１８】
室外側面部２２３は、下枠２２の見付け方向（上下方向）に延びて形成され、上面部２２１および下面部２２２の室外側端部に一体に連続している。このため、室外側面部２２３は、外レール２２７よりも室外側の位置に配置されている。室外側面部２２３の下部には、図１に示すように、矩形長孔形状の下枠排水孔２３０が形成されている。本実施形態では、室外側面部２２３において、縦枠２５側の端部近傍に形成されている。具体的に、下枠２２の長手方向（左右方向）において、縦枠２５側の端縁と、前記水抜き孔２２９との間の位置に形成されている。
なお、下枠排水孔２３０には、室外側からの水の吹き込みを防止する合成樹脂製の吹き込み防止部材２７が装着されている。
【００１９】
室内側面部２２４は、下枠２２の見付け方向に延びて形成されている。室内側面部２２４は、上面部２２１から下面部２２２に向かって室外側に傾斜しており、上端で上面部２２１の内レール２２８の下方部分に一体に連続し、下端で下面部２２２の室内側端部に一体に連続している。
取付け部２２５は、下面部２２２と室内側面部２２４との連接部分から下方に延びて形成されており、ビスを介して建物の躯体に取り付けられている。
【００２０】
このように構成される下枠２２には、図１に示すように、外レール２２７と内レール２２８との間に形成された水抜き孔２２９から中空部２２６を経て下枠排水孔２３０から外部に排水する排水経路２３１が設けられている。排水経路２３１については、図１に示す矢印によって模式的にあらわす。
【００２１】
下枠２２の中空部２２６には、補強材５および第一加熱発泡材６、第二加熱発泡材７が設けられている。
補強材５は、外障子３の左右方向寸法（Ｘ軸方向の寸法）よりも大きい寸法で左右方向（下枠２２の長手方向）に延びて形成され、引違い窓１の閉鎖状態における外障子３の下方位置に配置されている。すなわち、中空部２２６を、外障子３の下方領域である第一空間２２６Ａと、第一空間２２６Ａに対して下枠２２の長手方向に連続する第二空間２２６Ｂとに二分した場合に、補強材５は第一空間２２６Ａの全長にわたって配置され、補強材５の第一端部５Ａは第二空間２２６Ｂまで延長されている。
補強材５は、アルミニウム製の押出形材等で形成され、見付け片部５１、見込み片部５２および取付け片部５３を備えて構成されている。見付け片部５１の上部には見込み片部５２の室外側端部が連接しており、見付け片部５１の下部には取付け片部５３の室外側端部が連接している。つまり、見付け片部５１、見込み片部５２および取付け片部５３は一体形成されている。
【００２２】
見付け片部５１は、補強材５の見付け方向（上下方向）に延びて形成されており、下枠２２の上面部２２１から下面部２２２までの上下方向の間隔寸法に対応した寸法に設定されている。見付け片部５１の上端部は、ビスホール２２１Ａに沿って折曲されている。このため、補強材５を配置する際に、ビスホール２２１Ａに見付け片部５１の折曲部分を当接させることで、補強材５を見込み方向に位置決めでき、この際、見付け片部５１の上端は、外レール２２７のほぼ下方に位置する。
見付け片部５１には、中空部２２６に浸入した雨水を排水する排水孔５１１が形成されている。この排水孔５１１は、例えば、見付け片部５１の左右の端部近傍等に形成され、排水孔５１１の数や配置箇所は、引違い窓１のサイズなどに応じて設定される。図１は、補強材５の縦枠２５側の第二端部５Ｂ側の断面図であるため、排水孔５１１も図示されているが、図４は召合せ框３４側の断面図であるため、排水孔５１１等は図示されていない。なお、排水孔５１１と、前記水抜き孔２２９とは、下枠２２の長手方向（左右方向）の位置が異なるように形成することが好ましい。
【００２３】
見込み片部５２は、見付け片部５１の上部から室内側に向かって補強材５の見込み方向（室内外方向）に延びて形成されている。見込み片部５２は、ビスホール２２１Ａから室内側面部２２４までの室内外方向の間隔寸法よりも短い見込み方向寸法に設定されている。見込み片部５２には、排水部として、見込み片部５２を切り欠いて形成された四角形状の排水孔５２１が設けられている。排水孔５２１は、Ｘ軸方向の幅寸法が５つの水抜き孔２２９に跨がった大きさとなるように形成され、各水抜き孔２２９に平面視で重なる位置に形成されている。
見込み片部５２は、上面部２２１に締結部材である固定ネジ５２５で固定されている。固定ネジ５２５は、補強材５の長手方向に沿って複数本設けられ、補強材５は見込み片部５２が上面部２２１に当接した状態で固定されている。なお、締結部材としてはリベットでもよい。
【００２４】
取付け片部５３は、見付け片部５１の下部から室内側に向かって補強材５の見込み方向に延びて形成されている。取付け片部５３は見込み片部５２と略平行に延びて形成されており、取付け片部５３は、見込み片部５２の見込み方向寸法よりも長い見込み方向寸法に設定されている。従って、取付け片部５３の室内側の先端は、見込み片部５２の室内側の先端よりも室内側に位置している。
取付け片部５３は、見込み片部５２に上下方向に向かい合って配置されている。また、取付け片部５３の室外側端部は、見付け片部５１の下端よりも僅かに上側の位置に設けられており、見付け片部５１の下端は取付け片部５３から下方に突出した突条部５１３とされている。また、取付け片部５３の見込み方向の略中間位置には、前記突条部５１３と同様に下方に突出した突条部５３３が、補強材５の長手方向（下枠２２の長手方向）に沿って連続して形成されている。
【００２５】
このように構成された補強材５は、下枠２２の中空部２２６の縦枠２５側の端面開口から当該中空部２２６に挿入され、排水経路２３１上に位置している。
補強材５は、見付け片部５１の見付け方向寸法と見込み片部５２の見込み方向寸法とが、下枠２２の中空部２２６の上下方向および室内外方向の各間隔寸法よりも短く設定されているので、中空部２２６への挿入作業を容易に行える。
さらに、補強材５の底面は、突条部５１３、５３３が突出しているため、下面部２２２に接触する面積が小さくなり、摩擦抵抗も小さくなるため、補強材５を中空部２２６にスムーズに挿入できる。
補強材５の位置決めは、見付け片部５１をビスホール２２１Ａに接触させるとともに、見込み片部５２を上面部２２１に接触させることで簡単に行える。従って、当該補強材５の下枠２２への固定ネジ５２５によるネジ止めの際の当該補強材５の位置決めを容易に行える。
【００２６】
見込み片部５２は、排水孔５２１から左右方向に外れた位置で下枠２２の上面部２２１に固定ネジ５２５でネジ止めされており、上面部２２１に密に接触している。そして、見込み片部５２は、水抜き孔２２９よりも下方であって下枠排水孔２３０よりも室内側に位置している。従って、見込み片部５２の本体部分は、水抜き孔２２９と下枠排水孔２３０との間で排水経路２３１を遮断する位置に配置されている。そして、この見込み片部５２に形成された排水孔５２１は、複数の水抜き孔２２９にそれぞれ重なり合って配置され、当該水抜き孔２２９と下枠排水孔２３０との間で排水経路２３１を連通させている。
【００２７】
見付け片部５１は、補強材５が上面部２２１にネジ止めされた状態において外レール２２７の下方に配置されている。この見付け片部５１は、室外側面部２２３よりも室内側に離間して位置しているとともに、水抜き孔２２９よりも室外側であって下枠排水孔２３０よりも室内側に位置している。従って、見付け片部５１の本体部分は、水抜き孔２２９と下枠排水孔２３０との間で排水経路２３１を遮断する位置に配置されている。そして、この見付け片部５１に形成された第二排水部である排水孔５１１は、水抜き孔２２９と下枠排水孔２３０との間で排水経路２３１を連通させている。
このように中空部２２６に配置された見付け片部５１は、例えば、加熱された上面部２２１が外障子３の鉛直荷重を支持しきれなくなって熱変形を生じても、補強材５の下部（見付け片部５１の下端や、取付け片部５３）が下面部２２２に接触し、上面部２２１にネジ止めされた見付け片部５１を介して外障子３の荷重を支持することができる。このため、外障子３の鉛直荷重を補強材５で支持させ、外障子３の垂れ下がりを抑制できる。
【００２８】
第一加熱発泡材６、第二加熱発泡材７は、矩形状の膨張黒鉛シートによって構成されている。
第一加熱発泡材６は、図３、４に示すように、補強材５の取付け片部５３において、縦枠２４側である第一端部５Ａの上面に貼り付けられている。具体的には、補強材５の取付け片部５３において、平面視で召合せ框３４の縦枠２４側の見込み面の位置から縦枠２４側の端縁位置まで貼り付けられている。
第一加熱発泡材６は、３枚の膨張黒鉛シートが積層されている。この第一加熱発泡材６は、火災時の熱によって加熱されると発泡し、図５に示すように、補強材５の見付け片部５１と、見込み片部５２および上面部２２１と、取付け片部５３および下面部２２２と、室内側面部２２４とで囲まれた空間に充填する。このため、中空部２２６の第一空間２２６Ａのうち、見付け片部５１よりも室内側の空間は、召合せ框３４側の端縁が第一加熱発泡材６で塞がれ、第二空間２２６Ｂとも遮断された状態となる。
【００２９】
第二加熱発泡材７は、図１、３に示すように、補強材５の取付け片部５３において、縦枠２５側である第二端部５Ｂの上面に貼り付けられている。具体的には、補強材５の取付け片部５３において、平面視で水抜き孔２２９に重なる位置から縦枠２５側の端縁位置まで貼り付けられている。
第二加熱発泡材７も第一加熱発泡材６と同じく、図１に示すように、３枚の膨張黒鉛シートが積層されている。第二加熱発泡材７は、火災時の熱で発泡し、補強材５の見付け片部５１と、見込み片部５２および上面部２２１と、取付け片部５３および下面部２２２と、室内側面部２２４とで囲まれた空間に充填する。このため、中空部２２６の第一空間２２６Ａのうち、見付け片部５１よりも室内側の空間における縦枠２５側の端部開口が第二加熱発泡材７で塞がれる。
従って、第一空間２２６Ａにおいて見付け片部５１よりも室内側の空間は、その両端部が第一加熱発泡材６および第二加熱発泡材７で遮蔽されるため、炎や熱の進入を防止できる。なお、第一加熱発泡材６、第二加熱発泡材７の膨張黒鉛シートの枚数は３枚に限らず、各空間を塞ぐことができる量であればよい。
【００３０】
［実施形態の作用］
火災時等における火炎の遮断は次の通りに行う。
外障子３、内障子４が閉鎖位置にある状態で、室外側で火災が発生し、その熱によって、中空部２２６の温度が所定温度以上に上昇した場合、第一加熱発泡材６、第二加熱発泡材７が発泡する。このため、第一空間２２６Ａの見付け片部５１よりも室内側の空間は、第二空間２２６Ｂ側（召合せ框３４側）が第一加熱発泡材６で塞がれ、縦枠２５側が第二加熱発泡材７で塞がれる。
下枠２２において、補強材５が配置された第一空間２２６Ａは、外障子３が配置されているため、上面部２２１において外レール２２７の室内側が火炎に直接晒されることがなく、その部分が火炎で破損することもない。また、上面部２２１の外レール２２７の室外側や、室外側面部２２３が火炎に晒されて破損した場合は、その内側に補強材５の見付け片部５１が配置されているため、室外側面部２２３等が破損して炎などが進入しても、見付け片部５１に遮られて、第一空間２２６Ａにおいて見付け片部５１の室内側に炎等が進入することを防止できる。
一方、下枠２２において、第二空間２２６Ｂは、外障子３が配置されていないため、内障子４の室外側の上面部２２１は、外レール２２７および内レール２２８間も含め、火炎に晒されて破損することがある。また、第二空間２２６Ｂ部分の室外側面部２２３も火炎に晒されて破損することがある。この場合、破損箇所から第二空間２２６Ｂに炎などが進入するが、第一空間２２６Ａに繋がる部分（召合せ框３４の下方領域）は、第一加熱発泡材６で塞がれており、第二空間２２６Ｂから第一空間２２６Ａの見付け片部５１よりも室内側の空間に炎等が進入することを防止できる。
【００３１】
また、火災時の熱で第二加熱発泡材７が発泡すると、第二加熱発泡材７は第一空間２２６Ａの縦枠２５側の端縁を塞ぐ。また、第二加熱発泡材７は、見付け片部５１に沿って上方に膨張し、見込み片部５２の排水孔５２１を閉塞し、さらには上面部２２１の水抜き孔２２９をも塞ぐため、排水経路２３１を確実に遮断する。
【００３２】
火災時等における下枠２２の補強は次の通りに行う。
火災時等の熱に基づき、下枠２２の上面部２２１の温度が上昇して剛性降伏点が低下した場合、外障子３の鉛直荷重を上面部２２１で支持しきれなくなると、当該上面部２２１に若干の熱変形が生じる。この熱変形が生じると、補強材５の見付け片部５１は、下方に若干移動して下面部２２２に接触する。この状態において、補強材５は、上面部２２１にネジ止めされた見込み片部５２および見付け片部５１を介して、外レール２２７および上面部２２１に加わる外障子３の鉛直荷重を支持する。
このように、補強材５は下枠２２を補強し、当該下枠２２の熱変形を抑制する。
【００３３】
［本実施形態の効果］
（１）下枠２２の中空部２２６内に、第二空間２２６Ｂと、第一空間２２６Ａの見付け片部５１の室内側空間とを遮蔽可能な第一加熱発泡材６を設けたので、火災時に下枠２２の第二空間２２６Ｂ側が破損して、火炎などが第二空間２２６Ｂに進入しても、第一空間２２６Ａへの進入を防止できる。このため、第一空間２２６Ａに面する上面部２２１が熱で破損することも防止でき、上面部２２１に固定ネジ５２５で固定された補強材５の固定力が低下することも防止できる。したがって、外障子３の荷重を、上面部２２１を介して補強材５で確実に支持でき、外障子３が垂れ下がることも防止できるので、引違い窓１の耐火性能を向上できる。
（２）また、第一空間２２６Ａの見付け片部５１の室内側空間における縦枠２５側の端部開口を塞ぐ第二加熱発泡材７を設けたので、火災時に縦枠２５および下枠２２間に隙間が生じた場合でも、火炎が第一空間２２６Ａの縦枠２５側の端部開口から第一空間２２６Ａに進入することを防止できる。このため、第一空間２２６Ａにおける上面部２２１と補強材５との固定力の低下を防止でき、外障子３が垂れ下がることも防止できるので、引違い窓１の耐火性能を向上できる。
（３）さらに、補強材５を少なくとも第一空間２２６Ａの全長にわたって配置したので、第一空間２２６Ａに面する室外側面部２２３等に破損が生じて室外側面部２２３の室内側に炎が進入しても、見付け片部５１により室内側への進入を防止できる。このため、第一空間２２６Ａおける上面部２２１と補強材５との固定力の低下を防止でき、外障子３が垂れ下がることも防止できるので、引違い窓１の耐火性能を向上できる。
【００３４】
（４）第二加熱発泡材７の発泡によって補強材５に形成された排水孔５２１を閉塞することで、排水経路２３１を遮断できるので、第一空間２２６Ａへの火炎の進入を防止でき、引違い窓１の耐火性能を向上できる。
また、第一加熱発泡材６、第二加熱発泡材７を、補強材５自体に取り付けたことで、補強材５と第一加熱発泡材６、第二加熱発泡材７とを一つのユニットとして取扱い可能である。このため、補強材５および第一加熱発泡材６、第二加熱発泡材７を下枠２２に簡単に設置できる。特に、第一加熱発泡材６は、召合せ框３４の近くに配置しなければならないが、補強材５の第一端部５Ａに取り付けていれば、補強材５を中空部２２６に挿入することで、容易に配置できる。
また、第一空間２２６Ａの端部開口を塞ぐ第二加熱発泡材７を、排水孔５２１を塞ぐ発泡材としても兼用しているので、別々の発泡材を設ける場合に比べて、設置が容易となり、コストも低減できる。
（５）補強材５およびこれに取り付けられた第一加熱発泡材６、第二加熱発泡材７が中空部２２６に収容されるので、下枠２２の外部に補強用の各種部材を増設する必要がなく、外観上、下枠２２に補強材５が設けられていない形態の建具と差異のない構成の引違い窓１を設計できる。
【００３５】
［変形例］
なお、本発明は以上の実施形態で説明した構成のものに限定されず、本発明の目的を達成できる範囲での変形例は、本発明に含まれる。
補強材５の構成は、前記実施形態に限らず、例えば、前記補強材５の見付け片部５１と同様に設けられた室外側見付け片部と、この室外側見付け片部の室内側に配置される室内側見付け片部と、これらの見付け片部間を連結する見込み片部とを備え、下面側が開口されたチャンネル材で構成してもよい。補強材５としては、外障子３の荷重を支持可能な見付け片部および上面部２２１にネジ止めされる見込み片部を備えていればよい。
【００３６】
前記実施形態では、補強材５は、外障子３の左右方向寸法よりも大きくなるように形成されているが、これに限定されず、種々の長さに形成されていてもよい。例えば、補強材５は、外障子３の左右方向（Ｘ軸方向）の寸法とほぼ同じ寸法に設定してもよい。ただし、この場合、第一加熱発泡材６を補強材５の第一端部に取り付けると、第一加熱発泡材６が召合せ框３４の下方に位置することになる。召合せ框３４の下端には、図２に示すように、外障子３と下枠２２の上面部２２１との隙間を塞ぐ加熱発泡材３４１が設けられる場合があり、室外側で火災が発生した場合に、その熱が召合せ框３４の加熱発泡材３４１で断熱され、中空部２２６内の温度上昇が低下して第一加熱発泡材６の発泡タイミングが遅くなる可能性があり、発泡開始温度のより低い加熱発泡材を設置する必要があり、建具に用いる加熱発泡材の種類が増えてしまう。このため、第一加熱発泡材６は、前記実施形態のように、召合せ框３４よりも第二空間２２６Ｂ側に配置されることが好ましい。
【００３７】
前記実施形態では、補強材５は、排水孔５１１、５２１を有しているが、必ずしも排水孔を備えていなくてもよい。例えば、取付け片部５３と下面部２２２との間に隙間が生じるように補強材５を配置し、その隙間を介して排水するように構成してもよい。また、中空部２２６を排水経路として用いない場合にも、補強材５に排水孔を形成しなくてもよい。
前記実施形態では、見付け片部５１の見付け方向寸法は、下枠２２の上面部２２１から下面部２２２までの上下方向の間隔よりも若干短く設定していたが、前述した間隔寸法と同じ寸法に設定してもよい。
前記実施形態では、補強材５は、アルミニウム製の押出形材によって形成していたが、スチール製の折り曲げ加工によって形成してもよい。
前記実施形態では、補強材５は、一体形成された見付け片部５１、見込み片部５２および取付け片部５３によって構成されているが、これに限定されない。例えば、見付け片部５１、見込み片部５２および取付け片部５３が互いに別部材として形成され、これらをネジ等によって連結することで、補強材５が構成されていてもよい。
【００３８】
前記実施形態において、取付け片部５３は、室内側に水平に真直ぐ延びて形成されていてもよく、室内側に傾斜して延びて形成されていてもよい。また、取付け片部５３は下面部２２２から室内側面部２２４に沿って湾曲して延びて形成されていてもよい。なお、取付け片部５３の上面は、平坦に形成されていてもよく、湾曲して形成されていてもよい。
前記実施形態では、補強材５は、見付け片部５１、見込み片部５２および取付け片部５３を備えて構成されているが、これに限定されない。例えば、補強材５は、取付け片部５３が省略されて構成されていてもよい。取付け片部５３の構成が省略される場合、第一加熱発泡材６、第二加熱発泡材７は見付け片部５１および見込み片部５２のうちのいずれかに、または双方に設けられる。
【００３９】
前記実施形態では、第一加熱発泡材６は、補強材５に取り付けていたが、補強材５ではなく、下枠２２の中空部２２６に取り付けてもよい。同様に、第二加熱発泡材７も補強材５ではなく、下枠２２の中空部２２６に取り付けてもよい。ただし、補強材５に取り付けて配置したほうが、第一加熱発泡材６や第二加熱発泡材７を適切な位置に容易に配置できる利点がある。
さらに、前記実施形態では、第一加熱発泡材６および第二加熱発泡材７を設けていたが、縦枠２５側からの火炎の進入は、第二空間２２６Ｂに比べて可能性が低いため、第二加熱発泡材７は設けずに、第一加熱発泡材６のみを設けてもよい。
また、前記実施形態では、排水部である排水孔５２１を閉塞する加熱発泡材を、第二加熱発泡材７で兼用していたが、第二加熱発泡材７とは別体の加熱発泡材を用いてもよい。さらに、前記実施形態では、第二排水部である排水孔５１１を加熱発泡材で閉塞していなかったが、排水孔５１１を閉塞する加熱発泡材を設けてもよく、この加熱発泡材は第二加熱発泡材７で兼用してもよいし、別体の加熱発泡材を用いてもよい。
建具としては、引違い窓１に限定されず、外障子３または内障子４の一方がスライド移動不能に固定された片引き窓でもよい。
【符号の説明】
【００４０】
１…引違い窓、２…窓枠、３…外障子、４…内障子、５…補強材、５Ａ…第一端部、６…第一加熱発泡材、７…第二加熱発泡材、２１…上枠、２２…下枠、２４、２５…縦枠、３１、４１…上框、３２、４２…下框、３３、４３…戸先框、３４、４４…召合せ框、３５、４５…複層ガラス、５１…見付け片部、５２…見込み片部、５３…取付け片部、２２１…上面部、２２１Ａ…ビスホール、２２２…下面部、２２３…室外側面部、２２４…室内側面部、２２５…取付け部、２２６…中空部、２２６Ａ…第一空間、２２６Ｂ…第二空間、２２７…外レール、２２８…内レール、２２９…水抜き孔、２３０…下枠排水孔、２３１…排水経路、５１１、５２１…排水孔、５１３、５３３…突条部。
【図１】
2019065565.tif 000003
【図２】
2019065565.tif 000004
【図３】
2019065565.tif 000005
【図４】
2019065565.tif 000006
【図５】
2019065565.tif 000007